(57)【要約】【課題】処理指定情報を複数格納した付加情報付画像データであって、複数のデータ処理装置に対して特定の処理を実行させるための付加情報付画像データを生成する画像データ生成装置を提供する。【解決手段】本発明に係る画像データ生成装置１は、相異なる複数の処理指定情報の各々に付随させるパラメータを、外部から入力された入力情報に基づいて取得する取得部１０２と、複数の処理指定情報の各々に、取得部１０２において取得したパラメータを付随させて画像データに格納する格納部１０３と、を備えている。【選択図】図１
2010074293.tif 000002
【特許請求の範囲】
【請求項１】
パラメータが付随した処理指定情報であって、当該パラメータに応じた特定の処理をデータ処理装置に実行させるための処理指定情報を格納した付加情報付画像データを生成する画像データ生成装置において、
相異なる複数の処理指定情報の各々に付随させるパラメータを、外部から入力された入力情報に基づいて決定する決定手段と、
上記複数の処理指定情報の各々に、上記決定手段によって決定されたパラメータを付随させて画像データに格納する格納手段と、
を備えていることを特徴とする画像データ生成装置。
【請求項２】
上記決定手段は、上記入力情報と上記複数の処理指定情報の各々に付随させるべきパラメータとが関連付けて記録されている管理テーブルを参照することによって、上記複数の処理指定情報の各々に付随させるパラメータを決定することを特徴とする請求項１に記載の画像データ生成装置。
【請求項３】
上記入力情報は、テキストデータであり、
上記決定手段は、上記複数の処理指定情報の各々に付随させるべきパラメータが有するパターンに合致する文字列を上記入力情報から抽出することによって、上記複数の処理指定情報の各々に付随させるパラメータを決定することを特徴とする請求項１に記載の画像データ生成装置。
【請求項４】
上記入力情報は、上記複数の処理指定情報の各々に付随させるべきパラメータの種類を指定する指定情報を含み、
上記決定手段は、上記複数の処理指定情報の各々に付随させるパラメータのうち、上記指定情報により指定された種類のパラメータを、外部から入力された入力情報に基づいて決定することを特徴とする請求項１から３のいずれか１項に記載の画像データ生成装置。
【請求項５】
パラメータが付随した処理指定情報であって、当該パラメータに応じた特定の処理をデータ処理装置に実行させるための処理指定情報を格納した付加情報付画像データの生成を指示する指示信号を送信する端末側送信手段と、
当該付加情報付画像データを受信する端末側受信手段と、を備えたクライアント端末装置と、
上記指示信号を受信するサーバ側受信手段と、
上記サーバ側受信手段が上記指示信号を受け付けたとき、相異なる複数の処理指定情報の各々に付随させるパラメータを、外部から入力された入力情報に基づいて決定する決定手段と、
上記複数の処理指定情報の各々に、上記決定手段によって決定されたパラメータを付随させて画像データに格納する格納手段と、
生成した上記付加情報付画像データをクライアント端末装置へ送信するサーバ側送信手段と、を備えた画像データ生成サーバ装置と、
を備えていることを特徴とする画像データ生成システム。
【請求項６】
上記入力情報は、生成した上記付加情報付画像データの送信先であるクライアント端末装置に上記付加情報付画像データを送信するための送信先情報を含み、
上記サーバ側送信手段は、上記送信先情報に基づいて、生成した上記付加情報付画像データをクライアント端末装置へ送信することを特徴とする請求項５に記載の画像データ生成システム。
【請求項７】
パラメータが付随した処理指定情報であって、当該パラメータに応じた特定の処理をデータ処理装置に実行させるための処理指定情報を格納した付加情報付画像データを生成する画像データ生成方法において、
相異なる複数の処理指定情報の各々に付随させるパラメータを、外部から入力された入力情報に基づいて決定する決定ステップと、
上記複数の処理指定情報の各々に、上記決定ステップにおいて決定されたパラメータを付随させて画像データに格納する格納ステップと、
を含むことを特徴とする画像データ生成方法。
【請求項８】
請求項１から４のいずれか１項に記載の画像データ生成装置が備えているコンピュータを動作させるプログラムであって、上記コンピュータを上記の各手段として機能させるためのプログラム。
【請求項９】
請求項８に記載のプログラムを記録しているコンピュータ読み取り可能な記録媒体。
【発明の詳細な説明】
【技術分野】
【０００１】
本発明は、データ処理装置に特定の処理を実行させるための処理指定情報を複数含む付加情報付画像データを生成する画像データ生成装置、画像データ生成方法および画像データ生成システムに関する。
【背景技術】
【０００２】
近年、デジタルカメラ、特にデジタルカメラ機能を有するカメラ付き携帯電話機の普及に伴って、デジタルカメラや携帯電話機から取り込んだ画像データを表示するテレビや、取り込んだ画像データを印刷するプリンタなどの装置も広く普及している。また、これらの装置間で、無線通信により画像データを転送する技術も普及している。
【０００３】
無線通信により画像データを転送するためのプロトコルとしては、ＩｒＳｉｍｐｌｅ（登録商標）のような高速赤外線通信プロトコルや、Ｂｌｕｅｔｏｏｔｈ（登録商標）のような近距離用無線通信プロトコルなどが一般的である。このような無線通信を用いることにより、携帯電話機で撮影した写真をテレビなどに表示させることなどが、容易に行なえるようになっている。
【０００４】
特許文献１には、画像の表示制御を行なうための画像表示制御情報を含む画像データを受信する表示処理装置が開示されている。特許文献１に記載の表示処理装置は、画像表示制御情報を含む画像データを受信し、画像表示制御情報に従って、画像データに含まれる画像をスクロールしたり、拡大／縮小したりしながら表示する。すなわち、画像表示制御情報を含む画像データを表示処理装置に送信するだけで、表示処理装置にスクロールや拡大／縮小などの画像処理を行なわせることができる。
【０００５】
また、近年では、インターネットによる通信ネットワークの対応以外にも、複数の機器同士のネットワーク対応も進んでいる。すなわち、複数の装置同士で通信を行うことにより、ネットワークに接続されている機器を連携動作させることができるようになっている。このような連携動作の方法としては、ＨＤＭＩ（High-definition Multimedia Interface）などを用いて映像機器同士を接続することにより、操作信号を通信し合う方法がある。
【０００６】
ＨＤＭＩなどを用いた有線による連携動作以外にも、Ｂｌｕｅｔｏｏｔｈ（登録商標）、赤外線通信、Ｚｉｇｂｅｅ、ＵＷＢ（ultra wideband）のように短距離無線通信を用いて、ＰＤＡ（Personal Data Assistant）または携帯電話機などをリモコンに見立てて遠隔操作を行なう形態の連携動作もある。このような連携動作を実施するための方法としては、コマンドを直に送受信する方法と共に、コマンドなどを何らかのファイルに格納して送信するような方法も普及しつつある。
【０００７】
例えば、特許文献２には、電話番号情報などの位置情報をＨＴＭＬファイルに格納し、位置情報を含むＨＴＭＬファイルをナビゲーション装置に送信する技術が開示されている。ナビゲーション装置側では、受信したＨＴＭＬファイルに格納されている電話番号情報を抽出し、それに基づいて、目的地設定または登録地設定を実行することができる。
【特許文献１】特開２００４−３１０７４４号公報（公開日：平成１６年１１月４日）
【特許文献２】特開２００３−３１５０７８号公報（公開日：平成１５年１１月６日）
【発明の開示】
【発明が解決しようとする課題】
【０００８】
しかし、特許文献２の記載の技術では、送信するＨＴＭＬファイルを使用して処理を実行することができる機器がナビゲーション装置に限定されている。例えば、電話番号情報などの位置情報を含むＨＴＭＬファイルを電子レンジに送信したとしても、電子レンジでは受信したＨＴＭＬファイルを使用して処理を実行することができない。
【０００９】
そのため、ユーザは、データ処理装置にデータを送信しようとするたびに、手元の操作装置において、該当するデータ処理装置の処理指定情報の含まれるデータに切り換えるという煩雑な操作を強いられるという問題を有している。
【００１０】
また、コンテンツを提供するサービス事業者は、コンテンツを処理するクライアント側（すなわち、ユーザ側）のデータ処理装置に応じて、ナビゲーション用のコンテンツや、電子レンジ用のコンテンツなどのコンテンツをそれぞれ作成しなければならないという問題を有している。
【００１１】
本発明は、上記の問題点に鑑みてなされたものであり、その主たる目的は処理指定情報を複数格納した付加情報付画像データであって、複数のデータ処理装置に対して特定の処理を実行させるための付加情報付画像データを生成する画像データ生成装置を提供することにある。
【課題を解決するための手段】
【００１２】
本発明に係る画像データ生成装置は、上記課題を解決するために、パラメータが付随した処理指定情報であって、当該パラメータに応じた特定の処理をデータ処理装置に実行させるための処理指定情報を格納した付加情報付画像データを生成する画像データ生成装置において、相異なる複数の処理指定情報の各々に付随させるパラメータを、外部から入力された入力情報に基づいて決定する決定手段と、上記複数の処理指定情報の各々に、上記決定手段によって決定されたパラメータを付随させて画像データに格納する格納手段と、を備えていることを特徴としている。
【００１３】
本発明に係る画像データ生成装置は、外部から画像データ生成装置に入力される入力情報に基づいて、複数の処理指定情報の各々に付随させるパラメータを決定し、複数の処理指定情報の各々に、決定されたパラメータを付随させて画像データに格納する。
【００１４】
このように、画像データ生成装置において生成された付加情報付画像データは、パラメータが付随した処理指定情報を複数格納しているため、処理指定情報の数だけの処理をデータ処理装置に実行させることができる。これによって、単一の付加情報付画像データを送信するのみで、複数のデータ処理装置に、それぞれが実行可能である処理を実行させることもできる。
【００１５】
したがって、本発明に係る画像データ生成装置により生成される付加情報付画像データを用いることによって、複数のデータ処理装置に、処理指定情報により指定されている処理のうちでそれぞれが実行可能な処理を実行させる際における操作装置の煩雑な操作を不要にすることができる効果を奏する。
【００１６】
また、本発明に係る画像データ生成装置では、入力情報に基づいて処理指定情報に付随させるパラメータを取得するため、コンテンツを提供するサービス事業者は、コンテンツを処理するクライアント側の装置に応じたコンテンツを作成しなくてもよい。すなわち、コンテンツを提供するサービス事業者に対しても、クライアント側のデータ処理装置に応じてコンテンツを作成するという煩雑な処理を不要にすることができるという効果を奏する。
【００１７】
また、本発明に係る画像データ生成装置では、さらに、上記決定手段は、上記入力情報と上記複数の処理指定情報の各々に付随させるべきパラメータとが関連付けて記録されている管理テーブルを参照することによって、上記複数の処理指定情報の各々に付随させるパラメータを決定することが好ましい。
【００１８】
上記の構成によれば、画像データ生成装置は、管理テーブルを参照することによって、パラメータを決定することができる。
【００１９】
これによって、画像データ生成装置は、入力情報として大量のデータを受け取ることなく付加情報付画像データを生成することができるという効果を奏する。
【００２０】
また、本発明に係る画像データ生成装置では、さらに、上記入力情報は、テキストデータであり、上記決定手段は、上記複数の処理指定情報の各々に付随させるべきパラメータが有するパターンに合致する文字列を上記入力情報から抽出することによって、上記複数の処理指定情報の各々に付随させるパラメータを決定することが好ましい。
【００２１】
上記の構成によれば、決定手段は、処理指定情報の各々に付随させるべきパラメータを、入力情報として入力されるテキストデータとのパターンマッチングにより決定することができる。
【００２２】
これによって、画像データ生成装置は、当該画像データ生成装置に対して入力される入力情報のみから付加情報付画像データを生成することができるという効果を奏する。
【００２３】
また、本発明に係る画像データ生成装置では、さらに、上記入力情報は、上記複数の処理指定情報の各々に付随させるべきパラメータの種類を指定する指定情報を含み、上記決定手段は、上記複数の処理指定情報の各々に付随させるパラメータのうち、上記指定情報により指定された種類のパラメータを、外部から入力された入力情報に基づいて決定することが好ましい。
【００２４】
上記の構成によれば、入力情報に含まれる指定情報に基づいて、処理指定情報に付随させるべきパラメータを決定することができる。
【００２５】
これによって、指定情報により指定されるパラメータの種類を様々変更することによって、格納される処理指定情報を様々に変更した付加情報付画像データを生成することができる効果を奏する。
【００２６】
また、本発明に係る画像データ生成システムでは、上記課題を解決するために、パラメータが付随した処理指定情報であって、当該パラメータに応じた特定の処理をデータ処理装置に実行させるための処理指定情報を格納した付加情報付画像データの生成を指示する指示信号を送信する端末側送信手段と、当該付加情報付画像データを受信する端末側受信手段と、を備えたクライアント端末装置と、上記指示信号を受信するサーバ側受信手段と、上記サーバ側受信手段が上記指示信号を受け付けたとき、相異なる複数の処理指定情報の各々に付随させるパラメータを、外部から入力された入力情報に基づいて決定する決定手段と、上記複数の処理指定情報の各々に、上記決定手段によって決定されたパラメータを付随させて画像データに格納する格納手段と、生成した上記付加情報付画像データをクライアント端末装置へ送信するサーバ側送信手段と、を備えた画像データ生成サーバ装置と、を備えていることを特徴としている。
【００２７】
上記の構成によれば、本発明に係る画像データ生成装置と同様の作用効果を奏する。
【００２８】
また、本発明に係る画像データ生成システムでは、さらに、上記入力情報は、生成した上記画像データの送信先であるクライアント端末装置の情報を示す送信先情報を含み、上記サーバ側送信手段は、上記送信先情報に基づいて、生成した上記付加情報付画像データをクライアント端末装置へ送信することが好ましい。
【００２９】
上記の構成によれば、本発明に係る画像データ生成システムは、生成した付加情報付画像データを、付加情報付画像データの生成を指示するクライアント端末装置とは別のクライアント端末装置に送信することができる。
【００３０】
したがって、ユーザは、送信先情報を設定するのみで、ユーザの所望するクライアント端末装置において生成された付加情報付画像データを受信することができる効果を奏する。これによって、付加情報付画像データをクライアント端末装置同士でやり取りすることにより、所望するクライアント端末装置に移動させる手間を低減することができる効果を奏する。
【００３１】
また、本発明に係る画像データ生成方法では、上記課題を解決するために、パラメータが付随した処理指定情報であって、当該パラメータに応じた特定の処理をデータ処理装置に実行させるための処理指定情報を格納した付加情報付画像データを生成する画像データ生成方法において、相異なる複数の処理指定情報の各々に付随させるパラメータを、外部から入力された入力情報に基づいて決定する決定ステップと、上記複数の処理指定情報の各々に、上記決定ステップにおいて決定されたパラメータを付随させて画像データに格納する格納ステップと、を含むことを特徴としている。
【００３２】
上記の構成によれば、本発明に係る画像データ生成装置と同様の作用効果を奏する。
【００３３】
また、本発明に係る画像データ生成装置を動作させるためのプログラムであって、コンピュータを上記の各手段として駆動させることを特徴とするプログラムおよび該プログラムを記録したコンピュータ読み取り可能な記録媒体も本発明の範疇に含まれる。
【発明の効果】
【００３４】
本発明に係る画像データ生成装置は、外部から画像データ生成装置に入力される入力情報に基づいて、複数の処理指定情報の各々に付随させるパラメータを決定し、複数の処理指定情報の各々に、決定されたパラメータを付随させて画像データに格納する。
【００３５】
本発明に係る画像データ生成装置により生成された付加情報付画像データを用いることによって、データ処理装置に処理を実行させる際における操作装置の煩雑な操作を強いることなく、複数のデータ処理装置に対して、処理指定情報において指定されている処理のうちでそれぞれが処理可能である処理を実行させることができるという効果を奏する。
【００３６】
また、コンテンツを提供するサービス事業者に対しても、コンテンツの作成時における煩雑な処理を不要にすることができるという効果を奏する。
【発明を実施するための最良の形態】
【００３７】
本発明に係る画像データ生成装置の一実施形態について、図１〜８を参照しつつ以下に説明する。なお、本実施形態では、画像データ生成装置の説明に先立って、画像データ生成装置において生成する付加情報付画像データについて説明する。
【００３８】
（付加情報付画像データ３）
本発明に係る画像データ生成装置において生成する付加情報付画像データのデータ構造を図２に示す。図２は、付加情報付画像データ３のデータ構造の概略を示した模式図である。図２に示すように、付加情報付画像データ３は、概略的に言えば、画像領域６１０およびＥＸＩＦ領域６２０を含んで構成された、ＪＰＥＧ形式の画像データである。
【００３９】
（画像領域６１０およびＥＸＩＦ領域６２０）
画像領域６１０は、写真などの画像を圧縮して格納する領域である。一方、ＥＸＩＦ領域６２０は、主に、画像領域６１０に格納された画像情報に関するメタ情報などを格納する領域である。
【００４０】
ＥＸＩＦ領域６２０には、付加情報付画像データ３の配信サービスを行なう事業者が仕様を自由に定めて利用することができるメーカノート領域６２１が含まれている。そして、メーカノート領域６２１には、複数の処理指定情報５を格納することができる。メーカノート領域６２１内のどの領域に処理指定情報５を格納するかは、特に限定されるものではない。なお、図２に示す例では、２つの処理指定情報５（処理指定情報５Ａおよび処理指定情報５Ｂ）を格納している。
【００４１】
なお、画像領域６１０には、メーカノート領域６２１に格納されている処理指定情報５により指定される処理の内容を表す画像を格納しておいてもよい。これにより、操作装置２０の表示部において付加情報付画像データ３を表示した場合、付加情報付画像データ３を受信した画像データ受信処理装置（データ処理装置）が実行可能な処理の内容について、ユーザが視認することができ、その結果、ユーザは付加情報付画像データ３を画像データ受信処理装置に送信するべきか否かを判断することが可能となる。
【００４２】
（処理指定情報５）
処理指定情報５は、画像データ受信処理装置が実行すべき処理を指定するコマンドの名称であるコマンド名６と、コマンドのパラメータであるパラメータ７との組から成るものである。コマンドによっては、パラメータ７は無くてもよい。また、コマンド名６に代えてコマンドを識別可能なコードを用いてもよい。
【００４３】
なお、本明細書等において、処理指定情報５にデータが格納されている状態の画像データを「付加情報付画像データ」と称する。処理指定情報５にデータが格納されていない状態の画像データについては、単に「画像データ」と称する。
【００４４】
図２に示す例では、処理指定情報５Ａは、コマンド名６が“ＷＷＷ Ｇｅｔ”であり、パラメータ７が“ＵＲＬ：http://www.sample-page.jp”である。この処理指定情報５Ａは、パラメータ７で指定されたＵＲＬ（Uniform Resource Locator）で示されるＨＴＴＰサーバのＷｅｂページを取得するというコマンドである。また、処理指定情報５Ｂは、コマンド名６が“位置指定”であり、パラメータ７が“位置：東経１３５度、北緯３５度”である。この処理指定情報５Ｂは、パラメータ７で指定された経度および緯度に示される位置に基づいて、ナビゲーションやルート検索などの処理を実行するというコマンドである。
【００４５】
“ＷＷＷ Ｇｅｔ”は、Ｗｅｂ機能が搭載されている装置（例えば、テレビ、ＰＣまたは携帯電話など）で実行可能なコマンドである。このコマンドを受信した装置は、パラメータ７で指定されたＵＲＬで示されるＨＴＴＰサーバのＷｅｂページを取得し、表示部に表示する。また、“位置指定”は、カーナビゲーションシステムなどの、位置情報を使用する装置で実行可能なコマンドである。このコマンドを受信したカーナビゲーションシステムは、例えば、パラメータ７で指定された位置情報を目的地として設定した上でナビゲーションを開始する。
【００４６】
したがって、例えば、付加情報付画像データ３をテレビに送信すると、テレビは、自装置で実行可能な“ＷＷＷ Ｇｅｔ”コマンドを実行し、“ＷＷＷ Ｇｅｔ”のパラメータで指定されたＵＲＬで示されるＨＴＴＰサーバから、例えば観光案内などの情報を取得し、表示する。なお、テレビは、“位置指定”コマンドで指定される処理は実行しないが、“位置指定”コマンドを受けて地図を表示する、または指定された位置に関する情報を検索する、などの処理ができるようテレビである場合には、この限りではない。
【００４７】
一方、付加情報付画像データ３をカーナビゲーションシステムに送信すると、カーナビゲーションシステムは、自装置で実行可能な“位置指定”コマンドのみで指定される処理を実行し、例えば、“位置指定”のパラメータ７で指定された位置を目的地としたナビゲーションやルート検索などを実行したり、“位置指定”のパラメータ７で指定された位置をカーナビゲーションシステムにおいてメモリ登録したりする。なお、カーナビゲーションシステムは、“ＷＷＷ Ｇｅｔ”コマンドは実行しないが、当該カーナビゲーションシステムが、通信手段を持ち、ＨＴＭＬファイルを表示可能であり、“ＷＷＷ Ｇｅｔ”コマンドを受けて指定されたＵＲＬで示されるＨＴＴＰサーバにアクセスするよう構成されている場合には、この限りではない。
【００４８】
もちろん、各処理指定情報５に格納されている処理指定情報５がいずれも自装置において処理可能である場合には、そのいずれもを処理してもよい。この場合、画像データ受信処理装置は、ユーザーに対して処理可能な処理指定情報５のうち、いずれの処理を実行するのかを問い合わせる表示を表示するようにすればよい。画像データ受信処理装置は、ユーザーの選択した処理を実行する。
【００４９】
なお、いずれか一方の処理ではなく、複数の処理を同時に実行するようにしてもよい。例えば、画像データ受信処理装置がＷｅｂ機能および地図表示が可能なＰＣやテレビである場合、表示画面を２分割し、取得したＷｅｂページを一方の画面に表示し、もう一方の画面には、位置情報により指定される位置を示す地図を表示するようにすることもできる。また、画像データ受信処理装置がＰｉｎＰ機能を有する場合には、いずれかを主画面に表示するようにし、もう一方を副画面に表示するようにすることもできる。
【００５０】
また、図２では、処理指定情報５Ａおよび５Ｂに付随するコマンド６がそれぞれ異なる場合について説明しているが、同一であってもよい。例えば、コマンド６がいずれも“ＷＷＷ Ｇｅｔ”であり、パラメータ７が異なるＵＲＬであってもよい。この場合、処理を同時に実行すると、それぞれのＵＲＬにより指定されるＷｅｂページを表示することになる。また他の例では、コマンド６がいずれも“位置指定”である場合には、複数の指定された位置のうち、いずれかを経由地、いずれかを目的地として、経路探索を行なって提示することになる。
【００５１】
（画像データ生成装置１の構成）
次に、上述したような付加情報付画像データ３を作成するための画像データ生成装置について、図１を参照しつつ以下に説明する。図１は、画像データ生成装置１の要部構成を示すブロック図である。図１に示すように、画像データ生成装置１は、制御部１００、受付部１０１、出力部１０２、アドレスデータベース１１０および画像データデータベース１１１を備えている。これらの部材の詳細については、以下に説明する。
【００５２】
（受付部１０１）
受付部１０１は、処理指定情報５を格納した付加情報付画像データ３の生成を指示する指示信号および画像データ生成装置１に対して入力される各種入力情報を、画像データ生成装置１の外部から受け付ける。
【００５３】
（制御部１００）
制御部１００は、画像データ生成装置１における付加情報付画像データ３の生成全般を制御する。制御部１００は、図１に示すように、抽出部２０１、判定部２０２、取得部２０３、格納部２０４および読出部２０５を備えている。これら各部材の詳細について、以下に説明する。
【００５４】
（抽出部２０１）
抽出部２０１は、画像データ生成装置１に対して入力される入力情報から、付加情報付画像データ３における処理指定情報５のパラメータ７として画像データに格納される情報（格納情報）の種類を示す識別情報（指定情報）を抽出する。
【００５５】
（判定部２０２）
判定部２０２は、識別情報により示される種類の格納情報を処理指定情報５として含む付加情報付画像データ３が画像データデータベース１１１に記録されているか否かを判定する。
【００５６】
（取得部２０３）
取得部２０３は、画像データ生成装置１に対して入力される入力情報に基づいて、付加情報付画像データ３における処理指定情報５のパラメータ７として画像データに格納される情報（格納情報）を取得する。
【００５７】
（格納部２０４）
格納部２０４は、取得した格納情報を、付加情報付画像データ３における処理指定情報５のパラメータ７として画像データに格納する。
【００５８】
（読出部２０５）
読出部２０５は、判定部２０２において、識別情報により示される種類の格納情報を処理指定情報５として含む付加情報付画像データ３が存在する場合、その付加情報付画像データ３を画像データデータベース１１１から読み出す。
【００５９】
（出力部１０２）
出力部１０２は、格納部２０４において格納情報が格納された付加情報付画像データ３、または読出部２０５において読み出された付加情報付画像データ３を、画像データ生成装置１の外部へ出力する。
【００６０】
（アドレスデータベース１１０、画像データデータベース１１１）
アドレスデータベース１１０は、入力情報と、取得部２０３において格納情報として取得される情報（すなわち、パラメータ７）とを互いに関連付けて記録しているアドレス帳情報（管理テーブル）を記録している。画像データデータベース１１１は、画像データ生成装置３において生成した付加情報付画像データ３を記録している。なお、アドレス帳情報の詳細については下記に詳述するため、ここではその詳細な説明については省略する。
【００６１】
（付加情報付画像データ３を生成する動作）
次に、本発明に係る画像データ生成装置１における付加情報付画像データの生成動作について、図３を参照しつつ以下に説明する。図３は、画像データ生成装置１における付加情報付画像データの生成動作を示すフローチャートである。
【００６２】
まず、画像データ生成装置１の受付部１０１が、付加情報付画像データ３の生成を指示する生成指示信号を受け付けると（ステップＳ１においてＹｅｓ）、抽出部２０１は、画像データ生成装置１に対して入力された入力情報から識別情報を抽出する（ステップＳ２）。なお、入力情報は、生成指示信号と共に画像データ生成装置１に入力されてもよいし、生成指示信号の受け付けをトリガとして、画像データ生成装置１が外部装置から取得を要求することにより画像データ生成装置１に入力されてもよい。
【００６３】
次に、判定部２０２は、抽出した識別情報により示される種類の格納情報を処理指定情報５として格納している付加情報付画像データ３、すなわちユーザの所望する付加情報付画像データ３が画像データデータベース１１１に記録されているか否かを判定する（ステップＳ３）。ユーザの所望する付加情報付画像データ３が画像データデータベース１１１に記録されている場合（ステップＳ３においてＹｅｓ）、読出部２０５は、その付加情報付画像データ３を画像データデータベース１１１から読み出す（ステップＳ４）。
【００６４】
ユーザの所望する付加情報付画像データ３が画像データデータベース１１１に記録されていない場合（ステップＳ３においてＮｏ）、取得部２０３は、画像データ生成装置１に対して入力された入力情報に基づいて、複数の格納情報を取得する（ステップＳ５）。なお、格納情報の取得方法の詳細については、下記に詳述するため、ここではその説明を省略する。さらに、取得部２０３は、付加情報付画像データ３における画像領域６１０に格納するための画像を取得する（ステップＳ６）。
【００６５】
なお、画像領域６１０に格納する画像は、予め設定されていてもよいし、入力情報に基づいて取得するようにしてもよい。また、取得した画像のサイズが大きすぎる場合には予め縮小処理を行なうことが好ましい。他にも、画像をきれいに見せるための色情報の変換などを行なってもよい。また、当該画像を表示する端末にて画像の一覧を生成するときに有用となるサムネイル画像を生成し、格納してもよい。
【００６６】
続いて、格納部２０４は、取得した複数の格納情報を、画像データにおける処理指定情報５のパラメータ７として設定すると共に、画像を画像領域６１０に格納する（ステップＳ７）。格納部２０４は、格納情報を処理指定情報５のパラメータ７として設定した付加情報付画像データ３を画像データデータベース１１１に記録する（ステップＳ８）。このとき、画像データに付加情報が付加されていることがユーザにも一目で認識できるように、画像に何らかのマークをつけておく（合成しておく）ことが好ましい。また、上記の他にも、画像データが正当なサーバで生成されたことを示す証明書や署名を含むようにしてもよい。また、ステップＳ８の後に、生成した画像データが正しく処理されるかどうかを検証する検証ステップを設けてもよい。
【００６７】
最後に、出力部１０２は、生成した付加情報付画像データ３、またはステップＳ４において読み出した付加情報付画像データ３を画像データ生成装置１の外部へと出力する（ステップＳ９）。
【００６８】
（画像データ生成装置１の利点）
以上説明したように、画像データ生成装置１では、外部から画像データ生成装置１に入力される入力情報に基づいて、複数の処理指定情報５の各々に付随させるパラメータ７として画像データに格納される格納情報を取得し、取得した格納情報を処理指定情報５に付随するパラメータ７として画像データに格納する。
【００６９】
このように、画像データ生成装置１において生成された付加情報付画像データ３は、複数の処理指定情報５を格納しているため、格納されている処理指定情報５の数だけの処理を画像データ受信処理装置（データ処理装置）に実行させることができる。これによって、単一の付加情報付画像データ３を送信するのみで、複数の画像データ受信処理装置にそれぞれが実行可能である処理を実行させることもできる。
【００７０】
したがって、複数の画像データ受信処理装置に、処理指定情報５により指定されている処理のうちでそれぞれが実行可能な処理を実行させる際における操作装置の煩雑な操作を不要にすることができる。すなわち、ユーザは、複数の画像データ受信処理装置に処理を実行させる際に、手元の操作装置を取り替えたり、または、操作装置に送信するデータを切り換えたりするなどの煩雑な操作から解放される。
【００７１】
また、画像データ生成装置１では、処理指定情報５に付随するパラメータ７として画像データに格納する格納情報を、入力情報に基づいて取得するため、コンテンツを提供するサービス事業者は、コンテンツを処理するクライアント側の装置に応じたコンテンツを作成しなくてもよい。すなわち、コンテンツを提供するサービス事業者に対しても、コンテンツの作成時において、クライアント側の画像データ受信処理装置毎にコンテンツを作成するという煩雑な処理を不要にすることができる。
【００７２】
なお、本実施形態における「画像データ受信処理装置」は、付加情報付画像データを受信し、当該付加情報付画像データに格納されている処理指定情報に基づいて処理が実行可能である装置であれば、特に限定されるものではない。画像データ受信処理装置としては、例えば、テレビジョン受像機、レコーダー、パーソナルコンピュータ、電子レンジ、カーナビゲーションシステムなどを挙げることができる。
【００７３】
（格納情報の取得動作の詳細）
次に、付加情報付画像データ３における処理指定情報５のパラメータ７として画像データに格納される格納情報の取得動作の詳細について、図４を参照しつつ以下に説明する。図４は、格納情報の取得動作の一例を示すフローチャートである。
【００７４】
なお、本項では、処理指定情報５におけるパラメータ７として画像データに格納される格納情報が、緯度経度情報およびＵＲＬである場合を例に挙げて説明する。もちろん、以下に説明する格納情報の取得は一例であり、画像データ生成装置１において生成できる付加情報付画像データは、格納情報が緯度経度情報およびＵＲＬであるものに限定されるものではない。
【００７５】
まず、受付部１０１が付加情報付画像データ３の生成指示信号を受け付けると（ステップＳ１０）、画像データ生成装置１は、入力情報として位置座標（ｘ、ｙ）を取得する（ステップＳ１１）。次に、取得部２０３は、アドレスデータベース１１０に記録されているアドレス帳情報に、取得した位置座標（ｘ、ｙ）を含む領域情報が記録されているか否かを判定する（ステップＳ１２）。
【００７６】
取得した位置座標（ｘ、ｙ）を含む領域情報がアドレス帳情報に記録されている場合（ステップＳ１２においてＹｅｓ）、取得部２０３は、アドレス帳情報において、当該領域情報に関連付けられて記録されている緯度経度情報およびＵＲＬを格納情報として取得する（ステップＳ１３）。なお、取得部２０３は、付加情報付画像データ３における画像領域６１０に格納するための画像についても併せて取得する（ステップＳ１４）。
【００７７】
一方、取得した位置座標（ｘ、ｙ）を含む領域情報がアドレス帳情報に記録されていない場合（ステップＳ１２においてＮｏ）、取得部２０３は、取得した位置座標（ｘ、ｙ）から緯度経度情報を算出する（ステップＳ１５）。なお、この場合、取得部２０３は、付加情報付画像データ３における画像領域６１０に格納するための画像として、画像データ生成装置１に記録されている所定の画像を取得する（ステップＳ１６）。この場合、付加情報付画像データ３において表示される画像は、いわゆるダミー画像となる。ダミー画像としては、予めダミー画像として表示することが決められている画像であってもよいし、地図を切り出した画像であってもよいし、緯度経度情報または住所などの文字情報を画像化した画像であってもよい。
【００７８】
なお、付加情報付画像データ３の生成指示信号は、図６に示すように、表示部において表示されている地図を、ユーザがクリック（ポインティング）したことをトリガとして、画像データ生成装置１に出力されるようにすればよい。この場合、位置座標（ｘ、ｙ）は、ユーザのクリック（ポインティング）した位置とすればよい。なお、図６は、ユーザが地図をクリックした際の表示部における地図を示す図である。
【００７９】
また、地図の表示されている表示部において表示されている地図を、ユーザがクリック（ポインティング）したことをトリガとして、サブメニューを表示し、サブメニューにおける付加情報付画像データ３の生成を選択することにより、付加情報付画像データ３の生成指示信号が画像データ生成装置１に出力されるようにしてもよい。
【００８０】
なお、付加情報付画像データ３を生成している間、地図の表示されていた表示部に、「画像データ生成中」または「画像データ生成完了」などの付加情報付画像データ３の生成に関する経過情報を表示してもよい。
【００８１】
（アドレス帳情報の詳細）
ここで、アドレスデータベース１１０に記録されているアドレス帳情報の一例について、図５を参照しつつ以下に説明する。図５は、アドレス帳情報の一例を示す図である。なお、図５では、アドレス帳情報に記録されている「かたくりこ」と称する店舗のアドレス帳を例に挙げて説明する。
【００８２】
図５に示すように、アドレス帳情報には、領域情報、緯度経度情報、名称、住所、電話番号、ＵＲＬ、および、画像ファイル名が互いに関連付けられて記録されている。
【００８３】
領域情報は、図７に示すように、４点により囲まれる矩形領域を示す情報である。より具体的に説明すると、領域情報は、ｘ座標が「５０」〜「６０」の範囲であり、かつ、ｙ座標が「７０」〜「８０」の範囲を「かたくりこ」を指定する矩形領域であるとしている（図５）。したがって、例えば、入力情報として入力される位置座標（ｘ、ｙ）が（５５、７５）であった場合、この位置座標（ｘ、ｙ）は、「かたくりこ」を指定している領域情報である５０≦ｘ≦６０かつ７０≦ｙ≦８０の矩形領域に含まれる。すなわち、取得部２０３は、ユーザが「かたくりこ」を指定したものであると認識する。
【００８４】
これによって、取得部２０３は、「かたくりこ」を指定する領域情報に関連付けられている緯度経度情報およびＵＲＬを格納情報として取得する。また、画像領域６１０に格納する画像として「katakuri.jpg」を取得する。
【００８５】
なお、緯度経度情報は、「かたくりこ」と称する店舗の存在する緯度および経度を示す情報である。また、住所は「かたくりこ」と称する店舗の存在する住所を示す情報であり、電話番号は「かたくりこ」と称する店舗の電話番号であり、ＵＲＬは「かたくりこ」と称する店舗のホームページのアドレスである。
【００８６】
また、画像ファイル名は、「かたくりこ」と称する店舗の外観またはロゴなどの画像のファイル名であり、付加情報付画像データ３における画像領域６１０に格納する画像のファイル名である。なお、画像ファイル名ではなく、画像の保存されている記録部（図示しない）のアドレスを示すようにしてもよい。
【００８７】
これらの各情報は、全てがアドレス帳情報に記録されている必要はない。例えば、付加情報付画像データ３の所定指定情報５におけるパラメータ７として緯度経度情報およびＵＲＬを設定する場合には、電話番号または住所が必ずしもアドレス帳情報に記録されている必要はない。
【００８８】
なお、領域情報は、必ずしも矩形領域により示される情報である必要はなく、基準点と当該基準点からの距離の情報であってもよいし、中心点と中心点からの距離の情報であってもよい。
【００８９】
また、ＵＲＬがアドレス帳情報に収録されていない場合においては、当該閲覧中のホームページのアドレス（ＵＲＬ）を代用してもよい。
【００９０】
本項では、緯度経度情報およびＵＲＬを格納情報として取得する場合を例に挙げて説明しているが、取得する格納情報の種類については、適宜設定することができる。例えば、アドレス帳情報に記録されている各種情報のうち、いずれの情報を格納情報として取得するのかを、入力情報から抽出される識別情報に基づいて設定できるようにしてもよい。これによって、入力情報に含まれる識別情報に基づいて、格納情報を様々に設定することができる。すなわち、１種類のアドレス帳情報を記録しておくのみで、識別情報を変更するのみで、様々な処理指定情報５を含む付加情報付画像データ３を生成することができる。
【００９１】
もちろん、格納情報として取得する情報の種類が画像データ生成装置１において予め設定されていてもよい。
【００９２】
（アドレス帳情報に基づいて付加情報付画像データ３を生成する利点）
このように、格納情報を、入力情報に基づいて、アドレス帳情報から取得するようにすることによって、画像データ生成装置１は、アドレス帳情報から格納情報を取得するために必要な情報を入力情報として取得するのみで、付加情報付画像データ３を生成することができる。
【００９３】
これによって、画像データ生成装置１は、大容量のデータを用いることなく付加情報付画像データ３を生成することができるため、付加情報付画像データ３を迅速に生成することができる。
【００９４】
また、入力情報に識別情報が含まれている場合には、入力情報から抽出した識別情報に基づいて、アドレス帳情報に関連付けて記録されている情報から、格納情報として取得する情報を設定することができる。
【００９５】
これによって、画像データ生成装置１では、入力情報に含まれる識別情報の種類を様々変更することによって、処理指定情報として様々な格納情報を格納した付加情報付画像データ３を様々生成することができる。すなわち、ユーザの所望する付加情報付画像データ３を生成することができる。
【００９６】
（格納情報の取得動作の他の例）
付加情報付画像データ３における処理指定情報５のパラメータ７として画像データに格納する格納情報の詳細な取得動作は、上述した動作に限定されるものではない。例えば、入力情報から抽出した、画像データに格納する格納情報の種類を示す識別情報に基づいて、入力情報から格納情報を抽出するようにしてもよい。
【００９７】
入力情報から格納情報を抽出する場合について、図８を参照しつつ、より具体的に説明する。図８は、「かたくりこ」と称する店舗のホームページを示している。「かたくりこ」と称する店舗のホームページには、ユーザによりクリック（または、ポインティング）されることにより、付加情報付画像データ３を生成する指示信号を送信するボタンが設けられている。すなわち、ユーザがボタンをクリック（またはポインティング）することにより、画像データ生成装置１は、付加情報付画像データ３の生成指示を受け付けたと認識し、上述した付加情報付画像データ３の生成を実行する。
【００９８】
このとき、画像データ生成装置１における受付部１０１は、画像データに格納する格納情報の種類を示す識別情報および「かたくりこ」と称する店舗のホームページを構成する情報を入力情報として取得する。そして、抽出部２０１が入力情報から識別情報を抽出と共に、取得部２０３が、抽出された識別情報に基づいて、「かたくりこ」と称する店舗のホームページを構成する情報から格納情報を抽出する。例えば、識別情報が「電話番号」および「ＵＲＬ」であった場合、「かたくりこ」と称する店舗のホームページを構成する情報（いわゆる、ＨＴＭＬファイル）から「電話番号」および「ＵＲＬ」に相当する文字列を抽出し、格納情報として取得する。このとき、ＨＴＭＬファイルにおけるテキストデータからの文字列は、格納情報が有するパターン（例えば、電話番号であれば、数字の連続する数とハイフンとの位置関係のパターン）に合致する文字列から抽出すればよい。
【００９９】
なお、識別情報は、付加情報付画像データ３の生成指示ボタンをクリック（またはポインティング）することをトリガとしてサブメニューを表示し、表示されたサブメニューの中から一つ以上をユーザが選択するようにしてもよい。例えば、「位置情報（緯度経度情報）」を識別情報とする場合、表示されるサブメニューからユーザが「位置情報（緯度経度情報）の項目を選択することにより、画像データ生成装置１に対して、「位置情報（緯度経度情報）」を識別情報として含む入力情報を出力するようにしてもよい。
【０１００】
また、格納情報を入力情報から取得する場合は、前述のようなホームページを構成する情報から位置情報およびＵＲＬなどに限定されるものではない。例えば、テレビ番組またはビデオなどのコンテンツ情報を入力情報として、格納情報を取得するようにしてもよい。これによって、ユーザーがテレビ番組またはビデオを視聴している際に面白いシーンを見つけたときに付加情報付画像データ３の生成を指示することにより、付加情報付画像データ３を生成することもできる。この場合、画像としては、ユーザが生成指示を出した時点におけるシーンやスクリーンショットを用いることが好ましい。また、付加情報（処理指定情報）としては、現在時刻やビデオの先頭からの経過時間を取得し、格納するとともに、当該視聴中であったコンテンツを指定する情報（テレビであればチャンネル番号と放送地域、ビデオであれば商品番号やタイトルなど）を取得し、格納することが好ましい。
【０１０１】
（格納情報を入力情報から取得する利点）
このように、画像データ生成装置１では、当該画像データ生成装置１に対して入力される入力情報のみから付加情報付画像データ３を生成することもできる。
【０１０２】
また、取得部２０３が、入力情報から抽出した識別情報に基づいて、当該入力情報から複数の格納情報を抽出することによって、画像データ生成装置１は、入力情報に含まれる識別情報を様々変化させることによってのみで、処理指定情報５に付随させるパラメータ７を様々変更させることができる。すなわち、ユーザの所望する付加情報付画像データ３を生成することができる。
【０１０３】
（付記事項）
付加情報付画像データ３の生成指示を受けた画像データ生成装置１は、付加情報付画像データ３を常に生成する必要はない。すなわち、所望する付加情報付画像データ３が既に生成され、画像データデータベース１１０に記録されている場合には、付加情報付画像データ３の生成動作を省略することができる（図３のステップＳ３におけるＹｅｓ）。
【０１０４】
この場合、入力情報から抽出した識別情報に基づいて、判定部２０２がユーザの所望する付加情報付画像データ３が画像データデータベース１１０に記録されているか否かを判定する。ユーザの所望する付加情報付画像データ３が画像データデータベース１１０に記録されている場合、読出部２０５は、画像データデータベース１１０から付加情報付画像データ３を読出し、出力部１０２へと出力する。
【０１０５】
なお、識別情報を用いた画像データデータベース１１０の検索手法は、従来公知の検索手法を用いることができる。
【０１０６】
（画像データ生成システム５００の概要）
付加情報付画像データ３の生成は、上述した画像データ生成装置以外に、ネットワークを介したシステムによっても実現することができる。本項では、ネットワークを介したシステムを用いて付加情報付画像データ３の生成を実現する画像データ生成システム５００の概要について、図９〜１３を参照しつつ以下に説明する。
【０１０７】
図９に示すように、画像データ生成システム５００は、端末装置５１０ａ、端末装置５１０ｂおよびサーバ装置５５０を備えており、端末装置５１０ａ、端末装置５１０ｂおよびサーバ装置５５０は、いずれもネットワーク６００を介して接続されている。図９は、画像データ生成システム５００を模式的に示した図である。なお、本実施形態において、端末装置５１０ａと端末装置５１０ｂとを区別しない場合には、単に端末装置５１０と表記する。
【０１０８】
図９に示すように、端末装置５１０が、ネットワーク６００を介して付加情報付画像データ３の生成をサーバ装置５５０に指示すると、サーバ装置５５０は、付加情報付画像データ３を生成する。付加情報付画像データ３を生成したサーバ装置５５０は、ネットワーク６００を介して、端末装置５１０に生成した付加情報付画像データ３を送信する。
【０１０９】
なお、端末装置５１０は、ネットワーク６００を介してサーバ装置５５０に接続可能であれば特に限定されるものではない。端末装置５１０としては、具体的には、パーソナルコンピュータ（ＰＣ）、携帯電話、携帯型ゲーム機、ＰＤＡおよびテレビジョン受像機などを挙げることができる。
【０１１０】
また、ネットワーク６００も特に限定されるものではない。ネットワーク６００としては、例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網などを挙げることができる。また、ネットワーク６００を構成する伝送媒体としては、例えば、ＩＥＥＥ１３９４、ＵＳＢ（Universal Serial Bus）、電力線搬送、光ファイバー、ケーブルＴＶ回線、電話線、ＡＤＳＬ（Asymmetric Digital Subscriber Line）回線などの有線であってもよいし、ＩＥＥＥ８０２．１１無線、ＩｒＤＡやリモコンのような赤外線、Ｂｌｕｅｔｏｏｔｈ（登録商標）などの無線、または非接触ＩＣであってもよい。
【０１１１】
（画像データ生成システム５００の構成）
次に、画像データ生成システム５００の構成について、図１０を参照しつつ以下に説明する。図１０は、画像データ生成システム５００の要部構成を示すブロック図である。
【０１１２】
図１０に示すように、画像データ生成システム５００は、端末装置５１０およびサーバ装置５５０を備えている。これらの部材の詳細について、以下に説明する。
【０１１３】
（端末装置５１０）
端末装置５１０は、図１０に示すように、送信部５１１、受信部５１２および表示部５１３を備えている。各部材について、以下に説明する。
【０１１４】
（送信部５１１）
送信部５１１は、ネットワーク６００を介して、サーバ装置５５０に付加情報付画像データ３の生成を指示する生成指示信号を送信する。また、付加情報付画像データ３の生成に必要となる入力情報を送信する。なお、入力情報は、生成指示信号と同時に送信するようにしてもよいし、生成指示信号を受信したサーバ装置５５０から入力情報の取得要求を受けた後に送信するようにしてもよい。
【０１１５】
（受信部５１２、表示部５１３）
受信部５１２は、サーバ装置５５０において生成された付加情報付画像データ３をネットワーク６００を介して受信する。表示部５１３は、受信部５１２において受信した付加情報付画像データ３を表示する。表示部５１３は、画像を表示できるものであれば、特に限定されるものではない。
【０１１６】
（サーバ装置５５０）
サーバ装置５５０は、図１０に示すように、受信部５５１、送信部５５２、制御部１００、アドレスデータベース１１０、および画像データデータベース１１１を備えている。なお、制御部１００、アドレスデータベース１１０、および画像データデータベース１１１については上記において既に説明しているため、ここではその説明を省略する。よって、本項では、受信部５５１、送信部５５２についてのみ、以下に説明する。また、画像データ生成システム５００（サーバ装置５５０）における付加情報付画像データ３の生成方法は、上述した画像データ生成装置１における生成方法と同様であるため、本項では生成方法の説明についての記載を省略する。
【０１１７】
また、制御部１００における抽出部２０１、判定部２０２、および読出部２０５については、便宜上図１０には図示していない。
【０１１８】
（受信部５５１）
受信部５５１は、図１における受付部１０１とほぼ同様の動作をする。すなわち、端末装置５１０からネットワーク６００を介して送信される付加情報付画像データ３の生成を指示する生成指示信号、およびサーバ装置５５０に対して入力される入力情報を受信する。
【０１１９】
（送信部５５２）
送信部５５２は、図１における出力部１０２とほぼ同様の動作をする。すなわち、サーバ装置５５０において生成した付加情報付画像データ３をネットワーク６００を介して端末装置５１０へ送信する。
【０１２０】
（付加情報付画像データ３の送信先の設定）
ここで、図１０においては、生成した付加情報付画像データ３は、生成指示信号を送信した端末装置５１０に対して送信しているが、これに限定されるものではない。すなわち、サーバ装置５５０は、ネットワーク６００を介して送信可能である端末装置であれば他の端末装置５１０に対して、生成した付加情報付画像データ３を送信することができる。
【０１２１】
図９を参照して説明すると、端末装置５１０ａからサーバ装置５５０に付加情報付画像データ３の生成を指示する生成指示信号を送信し、サーバ装置５５０において付加情報付画像データ３を生成する。サーバ装置５５０は、生成した付加情報付画像データ３を端末装置５１０ｂに送信することもできる。
【０１２２】
この場合、端末装置５１０ａは、送信先の端末装置５１０ｂの送信先情報をサーバ装置５５０に送信するようにすればよい。例えば、送信先の端末装置５１０ｂが携帯電話である場合には、送信先情報としてメールアドレスをサーバ装置５５０に送信すればよい。
【０１２３】
より具体的な例を挙げて説明すると、図１１（ａ）に示すように、端末装置５１０ａの表示部５１３に表示されている「かたくりこ」と称する店舗のホームページにおける付加情報付画像データ３の生成を指示する指示信号を送信するためのボタンを、ユーザがクリック（または、ポインティング）すると、端末装置５１０ａは、図１１（ｂ）に示すように、生成した付加情報付画像データ３の送信先の端末装置５１０ｂのメールアドレス（送信先情報）を入力する画面を表示する。
【０１２４】
そして、ユーザが生成した付加情報付画像データ３の送信先の端末装置５１０ｂのメールアドレスを入力してサーバ装置５５０へ送信することにより、サーバ装置５５０は、生成した付加情報付画像データ３を指定された端末装置５１０ｂへ送信することができる。なお、図１１（ａ）および（ｂ）は、送信先情報をサーバ装置５５０に送信する場合を模式的に示した図であり、（ａ）は送信先情報を送信する端末装置５１０ａの表示部における表示であり、（ｂ）は送信先情報を入力する状態の表示部の表示である。
【０１２５】
これによって、ユーザは、送信先情報を設定するのみで、ユーザの所望する端末装置５１０において生成された付加情報付画像データ３を受信することができる。これによって、付加情報付画像データ３を端末装置５１０同士でやり取りすることにより、付加情報付画像データ３を所望する端末装置５１０に移動させる手間を低減することができる。
【０１２６】
もちろん、サーバ装置５５０において生成した付加情報付画像データ３を他の端末装置５１０に対して送信する形態はこれに限定されるものではない。例えば、端末装置５１０ｂの送信先情報が端末装置５１０ａに予め登録されており、付加情報付画像データ３の生成を指示する指示信号を送信するためのボタンをクリック（または、ポインティング）するのみで端末装置５１０ｂに対して付加情報付画像データ３を送信できるようにしてもよい。
【０１２７】
この場合には、ユーザが端末装置５１０ｂの送信策情報を入力する手間を省くことができるため、より容易に他の端末装置５１０に対して付加情報付画像データ３を送信できるようになる。
【０１２８】
（作成済の付加情報付画像データ３の取得）
端末装置５１０において表示する画像に、サーバ装置５５０に保存されている付加情報付画像データ３が関連付けられている場合には、端末装置５１０において、付加情報付画像データ３を保存する動作を実行することにより、付加情報付画像データ３を取得するようにしてもよい。
【０１２９】
例えば、図１２に示すように、「かたくりこ」と称する店舗のホームページに予め付加情報付画像データ３がリンクされている場合には、端末装置５１０において画像を保存することにより、サーバ装置５５０における画像データデータベース１１０から付加情報付画像データ３を取得することができる。
【０１３０】
また、図１３に示すように、付加情報付画像データ３の保存されているホームページ（例えば、図１２に示すホームページ）のアドレス（ＵＲＬ）を示す情報を２次元バーコードとして表示することにより、２次元バーコードを読み込んだ端末装置５１０の表示部５１３に、付加情報付き画像データ３の保存されているホームページの画像を表示するようにしてもよい。また、２次元バーコードを読み込むことにより、サーバ装置５５０に保存されている付加情報付画像データ３を直接取得できるようにしてもよい。
【０１３１】
なお、ホームページにおいて表示している画像データが付加情報付画像データ３である場合には、表示されている画像データが付加情報付画像データ３であることを示す表示をしておくことが好ましい。例えば、図１２に示すように、画像の右下に「Ｐｒ」と表記されたロゴを画像に重畳して表示することが好ましい。もちろん、前述したように、ロゴが画像に予め合成されていてもよい。
【０１３２】
（付加情報付画像データ３の使用モデル）
次に、付加情報付画像データの使用モデルについて、図１４を参照しつつ以下に説明する。図１４は、付加情報付画像データの使用モデルの一例を示す図である。
【０１３３】
付加情報付画像データ３を受信した端末装置５１０ｂは、受信した付加情報付画像データ３を、例えば、Ｂｌｕｅｔｏｏｔｈ（登録商標）などを用いてカーナビゲーションシステム６４０に送信することができる。例えば、付加情報付画像データ３に格納されている処理指定情報５のコマンド名６が“位置指定”であり、パラメータ７が“位置：東経１３５度、北緯３５度”である場合、付加情報付画像データ３を受信したカーナビゲーションシステム６４０は、東経１３５度、北緯３５度の位置を目的地としたルート探索を実行する。
【０１３４】
また、端末装置５１０ｂは、他の端末装置５１０ａに対して、例えば、Ｂｌｕｅｔｏｏｔｈ（登録商標）または赤外線通信（例えば、ＩｒＤＡ）などを用いて付加情報付画像データ３を送信してもよい。例えば、付加情報付画像データ３に格納されている処理指定情報５のコマンド名６が“ＷＷＷ Ｇｅｔ”であり、パラメータ７が“ＵＲＬ：http://www.sample-page.jp”である場合、付加情報付画像データ３を受信した端末装置５１０ａは、ネットワーク６００を介して、http://www.sample-page.jpで示されるＨＴＴＰサーバのＷｅｂページを取得する。もちろん、端末装置５１０ｂが“ＷＷＷ Ｇｅｔ”を処理可能な端末として構成されている場合には、端末装置５１０ｂにて当該Ｗｅｂページを取得してもよい。
【０１３５】
さらに、端末装置５１０ｂが店舗６３０を紹介する紹介サイトのサーバ６１０において生成された付加情報付画像データ３（例えば、クーポン情報を含む画像データ）を受信し、受信した付加情報付画像データ３を店舗６３０において使用した場合、紹介サイトのサーバ６１０において生成された付加情報付画像データ３が使用されたことが店舗６３０のサーバ６２０に記録される。このとき、サーバ６２０を有する店舗６３０は、付加情報付画像データ３を生成した紹介サイトに対して、報酬（いわゆる、アフィリエイト）を支払うようにしてもよい。なお、端末装置５１０ｂは、店舗６３０において例えば非接触ＩＣ（例えば、ＦｅｌｉＣａ（登録商標））のような電子決済を行う際に、電子決済を行うデータと同時に付加情報付画像データ３を送信するようにすればよい。なお、電子決済を行うデータを送信した後に非接触ＩＣを用いて付加情報付画像データ３を送信するようにしてもよい。
【０１３６】
また、店舗６３０を紹介する紹介サイトのサーバ６１０において生成された付加情報付画像データ３を受信した端末装置５１０ｂのユーザが、他のユーザの持つ端末装置に受信した付加情報付画像データ３を転送し、転送を受けた他のユーザが、店舗６３０において付加情報付画像データ３を使用した場合、紹介サイトに加えて、付加情報付画像データ３を転送した端末装置５１０ｂを有するユーザに対しても報酬を支払うようにしてもよい。この場合、付加情報付画像データ３を転送した際に、転送元を識別する識別子を付加情報付画像データ３に書き込むようにすればよい。
【０１３７】
なお、上述の使用モデルでは、付加情報付データ３を紹介サイトのサーバ６１０において生成する場合を例に挙げているが、店舗６３０のサーバ６２０において生成するようにしてもよい。この場合、端末装置５１０ｂからの付加情報付画像データ３の生成指示を受けた紹介サイトのサーバ６１０は、ネットワーク６００を介して、生成指示を店舗６３０のサーバ６２０に転送するようにすればよい。
【０１３８】
（プログラムおよび記録媒体）
最後に、画像データ生成装置１に含まれている制御部１００は、ハードウェアロジックによって構成すればよい。または、次のように、ＣＰＵ（Central Processing Unit）を用いてソフトウェアによって実現してもよい。
【０１３９】
すなわち、制御部１００は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１４０】
そして、本発明の目的は、制御部１００のプログラムメモリに固定的に担持されている場合に限らず、上記プログラムのプログラムコード（実行形式プログラム、中間コードプログラム、または、ソースプログラム）を記録した記録媒体を画像データ生成装置１に供給し、画像データ生成装置１が上記記録媒体に記録されている上記プログラムコードを読み出して実行することによっても、達成可能である。
【０１４１】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１４２】
また、制御部１００（または画像データ生成装置１）を通信ネットワークと接続可能に構成しても、本発明の目的を達成できる。この場合、上記のプログラムコードを、通信ネットワークを介して制御部１００に供給する。この通信ネットワークは制御部１００にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１４３】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１４４】
以上、本発明を実施形態に基づいて具体的に説明したが、本発明は、上述した実施形態に限定されるものではなく、請求項に示した範囲において種々の変更が可能であり、異なる実施形態にそれぞれ開示された技術的手段を適宜組み合わせて得られる実施形態についても本発明の技術的範囲に含まれる。
【産業上の利用可能性】
【０１４５】
本発明に係る画像データ生成装置は、携帯電話、携帯型ゲーム機もしくはＰＤＡなどの携帯型情報端末、または、テレビジョン受像機などに幅広く利用することができる。また、画像データの生成機能を一機能として有するサーバ装置としても好適に利用することができる。
【図面の簡単な説明】
【０１４６】
【図１】本発明に係る画像データ生成装置の要部構成を示すブロック図である。
【図２】本発明に係る画像データ生成装置において生成する画像データの構造を模式的に示す図である。
【図３】本発明に係る画像データ生成装置における画像データの生成動作を示すフローチャートである
【図４】本発明に係る画像データ生成装置における格納情報の取得動作の一例を示すフローチャートである。
【図５】アドレス帳情報の一例を示す図である。
【図６】表示部に表示されている地図をユーザがクリックした状態の一例を示す図である。
【図７】領域情報の詳細を示す図である。
【図８】「かたくりこ」と称する店舗のホームページの一例を模式的に示す図である。
【図９】本発明に係る画像データ生成システムを模式的に示した図である。
【図１０】本発明に係る画像データ生成システムの要部構成を示すブロック図である。
【図１１】送信先情報をサーバ装置に送信する場合の端末装置の表示部における表示を模式的に示す図であり、（ａ）は「かたくりこ」と称する店舗のホームページの一例を模式的に示し、（ｂ）は送信先情報を入力する状態の表示である。
【図１２】サーバ装置に保存されている付加情報付画像データを関連付けているホームページの一例を模式的に示す図である。
【図１３】付加情報付画像データの保存されているアドレスを示す情報を２次元バーコードとして表示しているホームページの一例を模式的に示す図である。
【図１４】付加情報付画像データの使用モデルの一例を示す図である。
【符号の説明】
【０１４７】
１        画像データ生成装置
３        付加情報付画像データ
５        処理指定情報
１００    制御部
１０１    受付部
１０２    出力部
１１０    アドレスデータベース
１１１    画像データデータベース
２０１    抽出部
２０２    判定部
２０３    取得部（決定手段）
２０４    格納部
２０５    読出部
５００    画像データ生成システム
５１０    端末装置（クライアント端末装置）
５５０    サーバ装置（画像データ生成サーバ装置）
５１１    送信部（端末側送信手段）
５１２    受信部（端末側受信手段）
５１３    表示部
５５１    受信部（サーバ側受信手段）
５５２    送信部（サーバ側送信手段）
６００    ネットワーク
【図１】
2010074293.tif 000003
【図２】
2010074293.tif 000004
【図３】
2010074293.tif 000005
【図４】
2010074293.tif 000006
【図５】
2010074293.tif 000007
【図６】
2010074293.tif 000008
【図７】
2010074293.tif 000009
【図８】
2010074293.tif 000010
【図９】
2010074293.tif 000011
【図１０】
2010074293.tif 000012
【図１１】
2010074293.tif 000013
【図１２】
2010074293.tif 000014
【図１３】
2010074293.tif 000015
【図１４】
2010074293.tif 000016